(57)【要約】容器（５、１０５）から注射液を自動的に押し出すための注射装置がハウジング（２、１０２）を有している。容器（５、１０５）からの注射液の押し出しを引き起こす注射バネ（９、１０９）が設けられている。注射装置（１、１０１）は、注射液の押し出しの際に近位方向（４１、１４１）へ移動する投与プランジャ（１１、１１１）を有している。注射液の押し出されるべき液量を調整するための調整装置（１４、１１４）が設けられており、それは投与プランジャ（１１、１１１）の端部位置を確定する端部ストッパー（２３、１２３）を有している。調整装置（１４、１１４）は端部ストッパー（２３、１２３）の位置を調整するための手段を有している。
2018531711.tif 000002
【特許請求の範囲】
【請求項１】
容器内から注射液を自動的に押し出すための注射装置において、
当該注射装置が、ハウジング（２、１０２）、前記容器（５、１０５）からの前記注射液の押し出しを引き起こす注射バネ（９、１０９）、前記注射装置（１、１０１）の長手中心軸（５０、１５０）の方向で可動的に支持されておりまた前記注射液の押し出しの際には近位方向に移動する投与プランジャ（１１、１１１）、前記注射液の押し出されるべき液量を調整するための調整装置（１４、１１４）、及び、前記投与プランジャ（１１、１１１）の端部位置を確定する端部ストッパー（２３、１２３）を有しており、その際、前記調整装置（１４、１１４）が前記端部ストッパー（２３、１２３）の位置を調整するための手段を有していること、
を特徴とする注射装置。
【請求項２】
請求項１に記載の注射装置において、
前記調整装置（１４、１１４）が、前記注射装置（１、１０１）の前記長手中心軸（５０、１５０）の方向で、前記端部ストッパー（２３、１２３）の位置を調整することを特徴とする注射装置。
【請求項３】
請求項１又は２に記載の注射装置において
前記調整装置（１４、１１４）が、前記ハウジング（２、１０２）内に配設されているストッパー要素（１６、１１６）、及び、少なくとも部分的にハウジング外部へ突出し、利用者によって操作され得る調整リング（１６、１１６）、を含んでいることを特徴とする注射装置。
【請求項４】
請求項３に記載の注射装置において
前記調整リング（１５、１１５）が回転可能の支持されていることを特徴とする注射装置。
【請求項５】
請求項４に記載の注射装置において
前記調整リング（１５、１１５）がネジ接続部（１７、１１７）を介して前記ハウジング（２、１０２）と接続されており、また、前記調整リング（１５、１１５）の回転が前記注射装置（１、１０１）の前記長手中心軸（５０、１５０）の方向への前記調整リング（１５、１１５）の移動を引き起こすことを特徴とする注射装置。
【請求項６】
請求項３から５の何れか一項に記載の注射装置において
前記注射装置（１、１００）が連結装置（２６、１２６）を含んでおり、当該連結装置（２６、１２６）が前記ストッパー要素（１６、１１６）の軸方向位置を前記調整リング（１５、１１５）の軸方向位置に連結することを特徴とする注射装置。
【請求項７】
請求項６に記載の注射装置において
前記連結装置（２６、１２６）が少なくとも１つの連結要素を含んでおり、当該連結要素が前記ハウジング（２、１０２）内の開口部（２９、１２９）を通って前記連結装置（２６、１２６）のガイド部（２８、１２８）内へ突出することを特徴とする注射装置。
【請求項８】
請求項６又は７に記載の注射装置において、
前記ストッパー要素（１６、１１６）が前記ハウジング（２、１０２）内で回転不能に案内されていることを特徴とする注射装置。
【請求項９】
請求項８に記載の注射装置において、
少なくとも１つの前記連結要素が、前記ハウジング（２、１０２）内の前記開口部（２９、１２９）を用いて、前記ストッパー要素（１６、１１６）の回転不能な案内を引き起こすことを特徴とする注射装置。
【請求項１０】
請求項１から９の何れか一項に記載の注射装置において、
前記投与プランジャ（１１）が、前記端部ストッパー（２３）と協働する縁部（２２）を有していることを特徴とする注射装置。
【請求項１１】
請求項１０に記載の注射装置において、
前記注射バネ（９）が前記縁部（２２）の遠位側で突っ張って自身を支えていることを特徴とする注射装置。
【請求項１２】
請求項１から９のいずれか一項に記載の注射装置において、
前記注射装置（１０１）が、前記ハウジング（１０２）内で回転不能に支持されている注射スリーブ（１２０）を有しており、当該注射スリーブ（１２０）が第１のネジ接続部（１３２）を介して前記ハウジング（１０２）内で回転可能及び軸方向に変位不能に支持された投与器具（２１）と接続されていること、及び、前記投与器具（２１）が第２のネジ接続部（１３３）を介して前記投与プランジャ（１１１）と接続されていることを特徴とする注射装置。
【請求項１３】
請求項１２に記載の注射装置において、
前記注射スリーブ（１２０）がストッパー面（１４７）を有しており、当該ストッパー面（１４７）が前記端部ストッパー（１２３）と協働することを特徴とする注射装置。
【請求項１４】
請求項１２又は１３に記載の注射装置において、
前記注射バネ（１０９）がその近位端部で前記注射スリーブ（１２０）にて突っ張って自身を支えていることを特徴とする注射装置。
【発明の詳細な説明】
【技術分野】
【０００１】
本発明は、容器から注射液を自動的に押し出すための注射装置に関するものである。
【背景技術】
【０００２】
基本的に、容器から注射液を自動的に押し出すための複数の注射装置が知られている。自動的な注射装置は通常、バネ（スプリング）を有しており、それは注射液の容器からの押し出しに作用する。例えばシリンジから注射液の投与量（用量）を一度限りで押し出すために用いられる自己注射装置（自動注射装置）が、その種の注射装置である。その種の自己注射装置においては、全ての注射液がただ一度の注射プロセスで押し出される。注射液が異なる液量で投与するためには、異なる注射装置が選ばれなければならない。
【０００３】
特許文献１からは手動で操作され得る注射装置が知られており、当該注射装置においては、注射液の押し出される量が使用者によって注射前に調整され得る。その場合、注射スリーブはストッパーの所定の経路を遠位方向で調整する。注射液を押し出す際には、使用者は操作要素を押し、それにより注射スリーブは、この注射スリーブがストッパーに到達するまで、近位方向へ変位（スライド）する。それにより、押し出されるべき注射液の量に応じて、注射スリーブのための異なるスタート位置がもたらされる。注射液を押し出す投与プランジャ（ドーズプランジャ、押し子）の端部位置に対応する、注射スリーブの端部位置は、固定的に予設定（プリセット）されている。
【先行技術文献】
【特許文献】
【０００４】
【特許文献１】ＷＯ２０１３／１１７３３１Ａ１
【発明の概要】
【発明が解決しようとする課題】
【０００５】
本発明の課題は、容器から注射液を自動的に押し出すための注射装置にして、簡潔な構造を有しまた注射液の押出量の調整を可能とする注射装置をつくり出すことである。
【課題を解決するための手段】
【０００６】
注射装置が注射液の押し出し量を調整するための調整装置を有していることが企図される。当該注射装置は投与プランジャの端部位置を確定する端部ストッパーを有している。その際、投与プランジャの端部の位置決めは、投与プランジャ自体に直接的に、又は、投与プランジャに連結された構成部材を介して間接的に、行うことが出来る。従って、注射装置の簡潔な構造は、調整装置が端部ストッパーの位置を調整するための手段を有していることによって達成される。従って、調整装置を介して、投与プランジャの端部位置を調整することが出来る。投与プランジャのスタート位置は注射液のその都度の押し出し量に対して同一である。それにより、使用者は調整の際に投与プランジャを動かす必要がなく、また、注射バネは既にプリテンションを掛けられて注射装置のハウジング内に配設されていてもよい。これは特に、非常に強力に設計された注射バネを必要とする高粘度の注射液の場合に有利である。それにより注射バネは、使用者によって負荷を掛けられる必要がなく、注射装置の製造時に負荷が掛けられる。その場合でも、調整装置が端部ストッパーの位置に作用することによって、注射液の押し出し量を調整することが可能である。そのような注射装置は、有利には、容器から注射液を一度押し出すための注射装置である。注射液を一度押し出した後は、その注射装置は破棄される。その種のただ一度の注射を予定する注射装置は、特には、長い時間間隔でのみ注射されなければならない薬剤であって、また注射液の持続性（保存性）が２度の注射の間の時間間隔よりも短い薬剤を注射することを企図している。
【０００７】
有利には、調整装置は端部ストッパーの位置を注射装置の長手中心軸の方向へ動かす。これは簡潔な構造を可能とする。
【０００８】
調整装置は有利には、ハウジング内に配設されたストッパー要素、及び、少なくとも部分的にハウジング外側へと突出し利用者によって操作されるべき調整リング、を有している。調整リングでは、利用者がストッパー要素の位置を調整することが出来る。調整リングはその際、有利には回転可能に支持されており、また、注射液の押し出されるべき液量を調整するために利用者によって注射装置の長手中心軸の周りで回転される。調整リングがネジ接続部を介してハウジングと接続されており、そして、調整リングの回転が注射装置の長手中心軸の方向への調整リングの移動に働きかける場合、簡潔な構造が達成される。ネジ接続部を適切に設計することによって、注射液の押し出されるべき液量の非常に正確な調整が達成され得る。
【０００９】
有利には注射液は連結装置を有しており、当該連結装置は、ストッパー要素の軸方向の位置を調整リングの軸方向の位置へ連結する。連結装置は有利には、少なくとも１つの連結要素を含んでおり、当該連結要素はハウジング内の開口部を通って連結装置のガイド部内へ突出している。有利には連結要素はストッパー要素に固定されており、ガイド部は調整リングに配設されている。ストッパー要素はハウジング内で有利には回転不能で案内されている。ガイド部は、特には調整リングの周状に延伸するノッチ（溝）によって形成される。ストッパー要素が回転不能でハウジング内で案内されていることによって、ハウジング内の開口部であって、その中を連結要素が突出して通過する開口部は、注射液の押し出されるべき液量を調整する際に連結要素が共に回転しないので、周方向で比較的細く形成され得る。それにより、連結要素の領域でハウジングは僅かにしか弱体化されず、またそれにより注射装置の高い安定性が獲得される。当時に簡潔な構造がもたらされる。有利には、連結要素は開口部と共にストッパー要素の回転不能なガイド部へ作用する。それにより、ストッパー要素を回転不能に案内するための追加手段は必要ない。
【００１０】
上述の注射装置は例えば、投与プランジャが端部ストッパーと共に協働する縁部を有しているような注射装置である。その種の注射装置は例えば、一度の注射で注射液を押し出すために利用される自己注射器であってもよい。注射バネはその際、有利には縁部の遠位側で突っ張って自身を支持している。それにより、僅かな部材数で、簡潔な構造の注射装置が達成される。注射バネはハウジング内で既にプリテンションを掛けられて保持されていてもよい。
【００１１】
代替として有利には、注射装置が回転不能にハウジング内に収容された注射スリーブを有しており、当該注射スリーブが第１のネジ接続部を介して回転可能でまた軸方向に変位可能にハウジング内に収容された投与器具に接続されていることが、企図される。投与器具は有利には第２のネジ接続部を介して投与プランジャと接続されている。注射スリーブは有利には、端部ストッパーと協働するストッパー面を有している。端部ストッパーは従って、直接的に投与プランジャと協働するのではなく、投与プランジャの端部位置は間接的に注射スリーブ、投与器具、及び両ネジ接続部を介して、固定されている。有利には、注射バネはその近位端で注射スリーブに突っ張って自身を支持している。注射スリーブ及び投与器具を有している注射装置においては、有利には投与器具に利用者によって視認可能なメモリが振られており、当該メモリを用いて有利には既に押し出された注射液の液量が示される。これは特には、利用者が注射を中断し得て、また、例えば利用者にとって好ましいインターバルの後で再開し得るような注射装置の場合に、有利である。
【００１２】
有利には調整リングにメモリが設けられており、当該メモリからは端部ストッパーの位置また従って、押し出される注射液の調整された液量が明らかになる。
【００１３】
本発明の実施例は以下において図面を用いて詳細に説明される。
【図面の簡単な説明】
【００１４】
【図１】第１位置での注射装置の側面図を示しており、当該第１位置では押し出されるべき注射液は第１液量に調整されている。
【図２】図１のラインＩＩ−ＩＩに沿った断面図を示す。
【図３】図１の矢印ＩＩＩの方向での注射装置の側面図を示す。
【図４】図３のラインＩＶ−ＩＶに沿った拡大断面図を示す。
【図５】安全キャップを取り外した後の注射装置の側面図を示す。
【図６】図５のラインＶＩ−ＶＩに沿った断面図を示す。
【図７】近位方向へ操作要素を変位させた後の注射装置の側面図を示す。
【図８】図７のラインＶＩＩＩ−ＶＩＩＩに沿った断面図を示す。
【図９】注射液を押し出した後の注射装置の側面図を示す。
【図１０】図９のラインＸ−Ｘに沿った断面図を示す。
【図１１】矢印ＸＩの方向での側面図を示す。
【図１２】図１１のラインＸＩＩ−ＸＩＩに沿った部分的な断面図を示す。
【図１３】注射液の押し出されるべき最大に調整された第２の液量での注射プロセスの前の注射装置の側面図を示す。
【図１４】図１３のラインＸＩＶ−ＸＩＶに沿った断面図を示す。
【図１５】図１３の矢印ＸＶの方向での部分的な側面図を示す。
【図１６】図１５のラインＸＶＩ−ＸＶＩに沿った断面図を示す。
【図１７】注射装置の下部ハウジング部分の斜視図を示す。
【図１８】下部ハウジング部分の側面図を示す。
【図１９】図１８の矢印ＸＩＸの方向での側面図を示す。
【図２０】図１９の矢印ＸＸの方向での側面図を示す。
【図２１】図２０のラインＸＸＩ−ＸＸＩに沿った断面図を示す。
【図２２】注射装置の上部ハウジングの斜視図を示す。
【図２３】上部ハウジング部分の側面図を示す。
【図２４】図２３の矢印ＸＸＩＶの方向での側面図を示す。
【図２５】図２４のラインＸＸＶ−ＸＸＶに沿った断面図を示す。
【図２６】注射装置のストッパー要素の斜視図を示す。
【図２７】ストッパー要素の側面図を示す。
【図２８】図２７の矢印ＸＸＶＩＩＩの方向での側面図を示す。
【図２９】注射装置の調整リングの斜視図を示す。
【図３０】調整リングの側面図を示す。
【図３１】図３０のラインＸＸＸＩ−ＸＸＸＩに沿った断面図を示す。
【図３２】注射装置の操作要素の斜視図を示す。
【図３３】操作要素の側面図を示す。
【図３４】図３３のラインＸＸＸＩＶ−ＸＸＸＩＶに沿った断面図を示す。
【図３５】注射装置の投与プランジャの側面図を示す。
【図３６】図３５のラインＸＸＸＶＩ−ＸＸＸＶＩに沿った断面図を示す。
【図３７】注射装置の側面図を示す。
【図３８】図３７の矢印ＸＸＸＶＩＩＩの方向での側面図を示す。
【図３９】図３８のラインＸＸＸＩＸ−ＸＸＸＩＸに沿った断面図を示す。
【図４０】近位方向へ操作要素の変位の後の注射装置の側面図を示す。
【図４１】図４０の矢印ＸＬＩの方向での側面図を示す。
【図４２】図４１のラインＸＬＩＩ−ＸＬＩＩに沿った断面図を示す。
【図４３】注射プロセスの後の注射装置の側面図を示す。
【図４４】図４３の矢印ＸＬＩＶの方向での側面図を示す。
【図４５】図４４のラインＸＬＶ−ＸＬＶに沿った断面図を示す。
【図４６】注射液の押し出されるべき調整された第２の液量での注射プロセスの前の注射装置の側面図を示す。
【図４７】図４６の矢印ＸＬＶＩＩの方向での側面図を示す。
【図４８】図４７のラインＸＬＶＩＩＩ−ＸＬＶＩＩＩに沿った断面図を示す。
【図４９】注射装置の上部ハウジング部分の斜視図を示す。
【図５０】上部ハウジング部分の側面図を示す。
【図５１】図５０のラインＬＩ−ＬＩに沿った断面図を示す。
【図５２】図５１のラインＬＩＩ−ＬＩＩに沿った断面図を示す。
【図５３】図５１のラインＬＩＩＩ−ＬＩＩＩに沿った断面図を示す。
【図５４】注射装置の注射スリーブの側面図を示す。
【図５５】図５４の矢印ＬＶの方向での側面図を示す。
【図５６】図５５のラインＬＶＩ−ＬＶＩに沿った断面図を示す。
【図５７】図５４の矢印ＬＶＩＩの方向での側面図を示す。
【図５８】図５４の矢印ＬＶＩＩＩの方向での側面図を示す。
【図５９】注射装置のストッパー要素の斜視図を示す。
【図６０】ストッパー要素の側面図を示す。
【図６１】図６０の矢印ＬＸＩの方向での上面図を示す。
【図６２】図６０のラインＬＸＩＩ−ＬＸＩＩに沿った断面図を示す。
【図６３】注射装置の調整リングの側面図を示す。
【図６４】図６３のラインＬＸＩＶ−ＬＸＩＶに沿った断面図を示す。
【図６５】注射装置の操作要素の斜視図を示す。
【図６６】注射装置の操作要素の斜視図を示す。
【図６７】操作要素の側面図を示す。
【図６８】図６７の矢印ＬＸＶＩＩＩの方向での操作要素の図を示す。
【図６９】図６７のラインＬＸＩＸ−ＬＸＩＸに沿った断面図を示す。
【図７０】注射装置の駆動部の側面図を示す。
【図７１】図７０のラインＬＸＸＩ−ＬＸＸＩに沿った断面図を示す。
【図７２】図７０の矢印ＬＸＸＩＩの方向での駆動部の図を示す。
【図７３】図７０の矢印ＬＸＸＩＩＩの方向での駆動部の図を示す。
【図７４】注射装置の投与器具の側面図を示す。
【図７５】図７４のラインＬＸＸＶ−ＬＸＸＶに沿った断面図を示す。
【図７６】図７５の矢印ＬＸＸＶＩの方向での投与器具の図を示す。
【図７７】注射装置の投与プランジャの斜視図を示す。
【図７８】投与プランジャの側面図を示す。
【図７９】図７８の矢印ＬＸＸＩＸの方向での投与プランジャの側面図を示す。
【図８０】図７９のラインＬＸＸＸ−ＬＸＸＸに沿った断面図を示す。
【発明を実施するための形態】
【００１５】
図１は注射装置１を示しており、当該注射装置１は、注射器の実施例で、容器から注射液の投与量を一回限りで自動的に押し出すことを企図している。その種の注射装置は自己注射器（自己使用注射器）とも称される。注射装置１はハウジング２を有しており、当該ハウジング２は上部の遠位ハウジング部分３及び下部の近位ハウジング部分４を含んでいる。上部ハウジング部分３には、調整リング１５が回転可能に支持されている。調整リング１５は、注射液の押し出されるべき量を調整するために利用される。これは特には、必要な量が例えば使用者の体重に依存するような注射液にとって有利である。利用者が構造的に予め与えられた複数の限度で注射液の押し出されるべき量を調整することが出来ることによって、注射液の可能なそれぞれの量のために、個別の注射装置を予め保有している必要はない。調整リング１５には印１９が付けられており、それは下部ハウジング部分４に付されたメモリ１８にて押し出されるべき注射液の調整された量を指し示す。上部ハウジング部分３の遠位端には、操作要素６が配設されている。近位端には、注射装置１の注射針８（図２）を覆う安全キャップ１２が配設されている。
【００１６】
注射装置１の遠位端は、注射針８から離れて存在する端部である。「近位」とは、注射の際に針を刺す位置に向かい合って位置する側を意味し、「遠位」とは針を刺す位置から離れて位置する側を意味する。近位方向は、注射方向、即ち注射針へ向かう方向、或いは注射液が容器から押し出される方向を意味している。遠位方向は、反対側の方向、即ち注射針から離れる方向を意味している。
【００１７】
図２は、注射装置１の構造を詳細に示している。下部ハウジング部分４には、注射液を含む容器５が配設されている。実施例においては、容器５は、その遠位縁２４で下部ハウジング部分４のストッパー２５に突っ張って自身を支持している注射器である。注射針８は針保護部１３によって取り囲まれており、当該針保護部１３は保護キャップ１２と固定的に接続されておりまた保護キャップ１２を取り外す際に同様に取り外される。容器５内には栓１０が配設されており、当該栓１０には注射装置１の投与プランジャ１１が当接している。投与プランジャ１１は、注射液を押し出す際に、近位方向へ移動し、また、それによって栓１０を近位方向へ変位させる。その結果、注射液が押し出される。投与プランジャ１１は、近位方向へ突出するピストンロッド２１、並びに、略円筒形状を有し遠位方向へ突出するスリーブ部分２０を有している。スリーブ部分２０とピストンロッド２１の間には注射装置１の長手中心軸５０に対して横方向（水平方向）に延びる縁部２２が形成されており、当該縁部２２は実施例においてはディスク形状を有している。スリーブ部分２０はその遠位端に凹部３４を有しており、当該凹部３４内へは操作要素６の複数のロック要素３５が突出している。複数のロック要素３５は実施例においては上部ハウジング部分３の保持アーム３３に形成されている。保持アーム３３は注射装置１の長手中心軸５０に対して平行に延伸している。ロック要素３５の半径方向内には、操作要素６の停止部分３２が配設されている。停止部分３２は、ロック要素３５が凹部３４から半径方向内側へと移動出来ないように、形成されている。それにより、ロック要素３５は投与プランジャ１１を図２で示されている位置で固定するので、その結果、投与プランジャ１１は近位方向へ移動することは出来ない。
【００１８】
上部ハウジング部分３には、注射バネ９が配設されており、当該注射バネ９はその遠位端では上部ハウジング部分３の遠位壁に突っ張って自身を支持しておりまたその近位端では投与プランジャ１１の縁部２２に突っ張って自身を支えている。注射バネ９はプリテンションを掛けられている。ロック要素３５が投与プランジャを解放すると直ぐに、注射バネ９は投与プランジャ１１を近位方向へと押し込み、その結果自動的に注射液が押し出される。
【００１９】
注射液の押し出されるべき量を調整するために、注射装置１は調整装置１４を有している。調整装置１４は調整リング１５を含んでいる。図１及び図２に示されている位置状態では、印１９はメモリ１８の４の値を指している。これは、基本投与に対して追加的に４単位（４ユニット）分の注射液が押し出されること、を意味している。調整装置１４はハウジング２内部に配設されたストッパー要素１６を含んでおり、当該ストッパー要素１６は実施例においてはディスクとして形成されている。ストッパー要素１６は中央開口部３９を有しており、当該中央開口部１６を通ってピストンロッド２１が突出している。ストッパー要素１６の遠位側部には、縁部２２用の端部ストッパー２３が形成されている。実施例においては、端部ストッパー２３は、ストッパー要素１６の全遠位側部によって形成されている。図２にも示されているように、調整リング１５はネジ接続部（螺合接続部）１７を介してハウジング２に保持されている。その内側では、調整リング１５はストッパー要素１６の高さにガイド部２８を有しており、当愛ガイド部２８はノッチとして形成されており、またその機能は以降の段落でより詳細に説明される。図２に示されているように、縁部２２は端部に対して軸方向に測られる間隔（距離）ａを有している。
【００２０】
図２に示されているように、上部ハウジング部分３及び下部ハウジング部分４は、実施例においては、ネジ接続部４３を介して互いに接続されている。ハウジング部分３及び４のその他の接続も有利であり得る。注射装置１は下部ハウジング部分４に２つの視認窓７を有しており、当該視認窓７によって容器５が視認可能である。図４には視認窓７の一方が示されている。
【００２１】
図４が示すように、調整リング１５は近位側の端部側４２を有している。上部ハウジング部分は近位側の端部側４０を有している。端部側４０及び端部側４２は、注射液の液量が調整された際に、長手中心軸の方向で測られる互いの間隔ｃを有している。図４は、調整装置１４の連結装置２６も詳細に示している。連結装置２６は、ストッパー要素１６の軸方向の位置を、調整リング１５の軸方向の位置に連結する。連結装置２６はストッパー要素１６の突出部２７を包囲しており、当該突出部２７は上部ハウジング部分３の開口部２９を通って調整リング１５のガイド部２８へと突き出ている。実施例においては、その際、長手中心軸５０の方向での突起部２７の延伸は、ノッチ２８の高さに対応しているので、突起部２７は大部分で遊びがなく（クリアランスフリーで）ガイド部２８内で保持されている。従って、利用者が調整リング１５を回転すると、調整リング１５はネジ接続部１７に基いて、長手中心軸５０の方向へ移動する。調整リング１５は、回転方向に応じて、遠位方向又は近位方向へと移動する。突起部２７が係合するガイド部２８を介して、調整リング１５はその軸方向移動の際に、ストッパー要素１６を同行させる。それにより、長手中心軸５０の方向で、ハウジング２内での端部ストッパー２３の位置状態が調整される。
ネジ接続部の比較的僅かな勾配に基づき、ストッパー要素１６の軸方向位置の、また従って押し出されるべき量の、繊細な調整が可能である。
【００２２】
注射を行うために、利用者は、注射液の押し出されるべき液量を調整した後、安全キャップを取り外す。図５及び図６は、安全キャップが取り外された状態の注射装置１を示している。操作要素６は鍋形状（釜形状）であり、上部ハウジング部分３の内部へ突出しウェブ形状の接続部分３８を有して形成されており、当該接続部分３８はロック部分３２を支持している。操作要素６の内部側３７は上部ハウジング部分３の遠位壁３６と共に操作要素６の近位位置３１のためのストッパー（当接部）を形成する。
【００２３】
図１から図６では、操作要素６はその遠位位置３０にある。注射を行うためには、操作要素６は近位方向４１へ移動されなければならない。この位置は図７及び図８に示されている。操作要素６はその近位位置３１にある。操作要素６の内部側３７は上部ハウジング部分３の遠位壁３６に当接している。ロック部分３２は近位方向４１へ移動した。
近位方向４１への移動によってロック要素３５の領域へ到った接続部分３８は、ロック部分３２よりも細く形成されている。それによりロック要素３５は、操作要素６の近位位置３１において、半径方向内側へ揺動することが出来る。凹部３４及びロック要素３５は、傾斜を付けて形成されている。注射バネ９は投与プランジャ１１に対して近位方向４１への力を作用させる。この力は投与プランジャ１１の近位方向への移動に作用し、その際、ロック要素３５は傾斜部を介して半径方向内側へ逸らされる。投与プランジャ１１はそれにより、近位方向へ自由に移動することが可能であり、またその際注射液を容器５から押し出す。
【００２４】
図９及び図１０は、注射プロセス後の注射装置１を示している。操作要素６はその近位位置３１にある。同様に投与プランジャ１１もその近位位置にある。縁部２２は、ストッパー要素１６の端部ストッパー２３に当接している。栓１０は容器５の近位端部まで完全には押し込まれなかったので、その結果容器５内には注射液の残量が存在している。図１１及び図１２のように、ハウジング２内でのストッパー要素１６の位置状態は変化しなかった。更に、端部側４０及び端部側４２は互いに間隔ｃを有している。投与プランジャ１１は、縁部２２及び調整リング１５のガイド部２７内のストッパー要素１６の突起部２７を介して、突っ張って自身を支えている。ネジ接続部１７の上昇は、突起部２７が近位方向への調整リング１５の変位を引き起こしえない程に、僅かである。
【００２５】
図１３から図１６は、押し出されるべき注射液が調整された第２の液量である状態の注射装置１を示している。押し出されるべき注射液の第２の液量は、注射液の９追加単位に対応している、即ち、注射装置１の調整可能な最大投与量に対応している。
【００２６】
図１４に示すように、投与量が９追加単位に調整された場合、縁部２２は端部ストッパー２３に対して間隔ｂを有している。その際、間隔ｂは、４追加単位に調整された第１の投与量の場合の間隔ａよりも、大きい。図２に示されているストッパー要素１６の位置に対して、ストッパー要素１６は近位方向へ移動した。図１６が示しているように、上部ハウジング部分３の端部側４０は、この位置では、調整リング１５の近位端部側４２に対して、調整された第１の投与量（図１２）の場合の間隔ｃよりも大きい間隔ｈを有している。それにより投与プランジャ１１は、調整された第２の投与量の場合においては、更に遠位側へ移動することが出来、またそれによって、より多くの量の注射液を容器５から押し出すことが出来る。開口部２９の近位端部は、突起部２７用の第１の近位ストッパー４６を形成している。図１６が示すように、注射液が最大の液量に調整されている場合には、突起部２７はストッパー４６に当接している。
【００２７】
図１７から図２１は下部ハウジング部分４の構造を詳細に示している。それらの図面が示すように、下部ハウジング部分４は、図１８から図２１では右側に示されているその遠位側に、雄ねじ部４４を有しており、当該雄ねじ部４４は、上部ハウジング部分３に対するネジ接続部４３の一部である。図１８から図２０には、メモリ１８も詳細に示されている。メモリ１８は実施例においては、１から９まであり、その結果、調整装置１４を用いて、１追加単位から９追加単位までの注射液を注射することが出来る。１つの単位がどれほどの大きさであるかは、ネジ接続部１７の増加に依存する。図２１が示すように、下部ハウジング部分４は段差部２５と隣り合って、容器５用の収容開口部４７を有している。
【００２８】
図２２から図２５は上部ハウジング部分３を詳細に示している。遠位壁３６は、操作要素６の接続部分３８用の貫通開口部５１を有している。図２２及び図２３では、開口部２９も認めることが出来る。開口部２９は、長手中心軸５０に対して平行に延伸する長穴として形成されている。開口部２９の近位端部は、突起部２７用の第１の近位ストッパー要素４６を形成している。ストッパー要素４６は、注射液の押し出されるべき最大の液量を制限する。開口部２９の遠位端部は、栓２７用の第２の遠位ストッパー４８を形成しており、当該遠位ストッパー４８は押し出されるべき注射液の調整可能な最小の液量を規定する。図２２及び図２５が示しているように、上部ハウジング部分３は、その遠位端部に、雄ねじ部４９を備えており、それはネジ接続部１７の一部である。図２５が示しているように、遠位端部には雌ねじ部４５も設けられており、それは下部ハウジング部分４の雄ねじ部４４と共に両方のハウジング部分３、４の間に、ネジ接続部４３を形成する。図２５には、２つの保持アーム３３の構造も示されており、それらは壁部３６の内側から近位方向へと延伸している。保持アーム３３は貫通開口部５１の周囲に配設されている。
【００２９】
図２６から図２８はストッパー要素１６の構造を詳細に示している。ストッパー要素１６は円板として形成されており、その遠位側は端部ストッパー２３を形成している。突起部２７は実施例においては円筒状に形成されており、また半径方向外側に向かって突出している。しかしながら、連結要素の別の構造、特には角ばった構造も有利であり得る。
【００３０】
図２９から図３１は、調整リング１５の構造を示している。調整リング１５はスリーブ状に形成されており、また完全にハウジング２の外側に配設されている。しかしながら、調整リング１５が開口部２９を通ってストッパー要素１６に向かって延伸することも企図され得る。但しその場合は、開口部２９は周方向に適切な大きさの延伸部を有していなければならず、それはハウジング２の安定性の低下を導き得る。調整リング１５は雌ねじ部５２を有しており、当該雌ねじ部５２は上部ハウジング部分３の雄ねじ部４９と共にネジ接続部１７を形成している。その遠位領域では、調整リング１５はその内周部に、一回りに延びるノッチとして形成されているガイド部２８を有している。ガイド部２８の高さは突起部２７の高さに対応しているので、注射液の押し出されるべき液量の遊びのない調整が可能である。しかしながら、注射の終わりでのガイド部２８内での突起部２７の位置は、注射バネ９の力に基いて予め定められているので、ガイド部２８と突起部２７の間に遊びが設けられていてもよい。
【００３１】
図３２から図３４が示しているように、操作要素６はその遠位側に操作部分５３を有しており、当該操作部分５３は長手中心軸５０に対して略垂直に延伸しておりまた当該操作部分５３に接触して利用者は操作要素６を近位方向４１（図８）に押し込むことが出来る。接続部分３８は棒状に形成されており、また操作要素の中心から近位方向へ突出している。接続部分３８及びロック部分３２はそれぞれ円柱状に形成されており、その際、ロック部分３２の外径は接続部分３８の外径よりも大きい。
【００３２】
図３５及び図３６は投与プランジャ１１を示している。スリーブ部分２０はその遠位端部で、その内側に、凹部３４を有しており、当該凹部３４は、実施例においては一回りに延びるノッチとして形成されている。しかしながら、それぞれのロック要素３５のために投与プランジャ１１に個別の凹部３４が形成されていることも企図され得る。ロック要素３５の構造及び個数は、注射バネ９によって作用される力に合わせて設計され得る。
【００３３】
図３７から図８０は、注射装置１０１の第２の実施例を示している。注射装置１０１はハウジング１０２を有しており、当該ハウジング１０２は上部の遠位側ハウジング部分１０３及び下部の近位側ハウジング部分１０４を含んでいる。上部ハウジング部分１０３の遠位側には、操作要素１０６が配設されており、図３７から図３９では当該操作要素１０６はその遠位位置１０３にある。その近位端部では、注射装置１０６は針収容部１０８を有しており、そこには注射針を固定することが出来る。注射液の押し出されるべき液量を調整するために、注射装置１０１は調整装置１１４を有しており、当該調整装置１１４はハウジング１０２の外側で回転可能に支持されている調整リング１１５を含んでいる。調整リング１１５は視認窓１１９を有しており、当該視認窓１１９越しにメモリ１１８が視認出来る。当該メモリ１１８は上部ハウジング部分１０３の外側に付されている。
【００３４】
図３８が示しているように、上部ハウジング部分１０３は視認窓１０７を有している。視認窓１０７越しにハウジング１０２内に配設された注射スリーブ１２０の外側を視認することが出来る。注射スリーブ１２０は、図３９にも示されている開口部１２５を有しており、また、当該開口部１２５越しに注射スリーブ１２０の内部に配設された投与器具１２１を視認することが出来る。当該投与器具はその外側にメモリ１１８を有している。
【００３５】
図３９が示すように、下部ハウジング部分１０４には容器１０５が配設されている、実施例においてはカルプルが配設されている。有利には、注射液の投与量を一度押し出すための注射器も企図される。容器１０５内には、投与プランジャ１１１のプランジャディスク１１３が当接している栓１１０が配されている。注射液を押し出すために、投与プランジャは近位方向へと動かされ、それによって栓１１０を変位させるので、その結果、注射液が押し出される。投与プランジャ１１１はプランジャロッド１１２を有しており、当該プランジャロッド１１２はガイド部１３９内で回転不能にまた軸方向に変位可能にハウジング１０２内で支持されている。ガイド部１３９はハウジング１０２の支持部分１３４に形成されている。投与器具１２１はネジ接続部１３３を介して投与プランジャ１１１と接続されている。投与器具１２１は支持部分１３４にて回転支持部１３８を介して回転可能にまた軸方向に固定されて支持されている。投与器具１２１はネジ接続部１３２を介して注射スリーブ１２０と接続されている。ハウジング１０２内には注射バネ１０９が配されており、当該注射バネ１０９は、上部ハウジング部分３の中間壁部１６０ではその遠位端部を用いて、また、注射スリーブ１２０ではその近位端部を用いて、突っ張って自身を支えている。注射バネ１０９は有利には既にプリテンションを掛けられているので、利用者は注射バネ１０９に力を掛ける必要はない。注射液が高粘性であり、その結果注射バネ１０９が非常に強力に設計されていなければならずまた力を掛けるため（セットするため）に注射バネ１０９が比較的大きな力を必要とする場合、これは特に有利である。
【００３６】
注射装置１０１は駆動部１２２を有しており、当該駆動部１２２は連結部１２４を介して操作要素１０６と接続されている。図３８に示されている操作要素１０６の遠位位置１３０においては、操作要素１０６及び駆動部１２２は連結部１２４を介して回転不能に互いに接続されている。駆動部１２２は、回転不能に投与器具１２１と接続されている。操作要素１０６はガイドノッチ１５８（図３７）を介してハウジング１０２内で回転不能に案内されている。従って、図３７から図３９に示されている操作要素１０６の遠位位置１３０においては、駆動部１２２、投与器具１２１、注射スリーブ１２０及び投与プランジャ１１１は、注射装置１０１の長手中心軸１５０の周りで回転することは出来ない。
【００３７】
調整装置１１４は、ハウジング１０２内に配されるストッパー要素１１６を含んでいる。実施例においては、ストッパー要素１１６はスリーブ形状に形成されており、また、容器１０５の外周面に接して延伸している。ストッパー要素１１６は連結装置１２６を介して調整リング１１５の軸方向位置に連結されている。調整リング１１５はネジ接続部１１７を介して上部ハウジング部分１０３に接続されている。従って、調整リング１１５が注射液の押し出されるべき液量を調整するために利用者によって長手中心軸１５０の周りで回転される場合、調整リング１１５はネジ接続部１１７に基づいて長手中心軸１５０の方向へ移動する。連結装置１２６を介して、ストッパー要素１１６は同行され、また対応的に軸方向に移動する。
【００３８】
操作要素１０６は操作バネ１３７によってその遠位位置１３０の方向でバネ付勢されて支持されている。注射を行うためには、操作要素１０６は近位方向１４１へ移動されなければならない。操作要素１０６には近位端部側１３５が設けられており、それは上部ハウジング部分１０３の遠位端部側１３６と協働しまた操作要素１０６の近位位置のためのストッパーを形成する。操作要素１０６の近位位置１３１は図４０から図４２に示されている。調整リング１１５が示されている位置にある場合は、視認窓１１９越しに、ゼロの追加的な投与量が読み取れる。視認窓１０７及び開口部１２５越しに、注射の前に、投与器具１２１の外周面でもゼロの値を読み取ることが出来る。その場合、開口部１２５越しには、その都度、注射液の既に押し出された液量を読み取ることが出来る。
【００３９】
操作要素１０６を図４０から図４２で示されているその近位位置１３１へ移動することによって、連結部１２４は開放された。操作要素１０６は複数のロックウェブ１５４を有しており、それらは操作要素１０６の遠位位置１３０において駆動部１２２に対する回転固定的な接続をもたらす。操作要素１０６の近位位置１３１では、ロックウェブ１５４は、駆動部１２２の自由空間内に配されており、また、駆動部１２１に対して操作要素１０６が回転することを可能にし、また従ってハウジング１０２に対して回転することも可能にする。注射バネ１０９は近位方向へ向かって注射スリーブ１２０へ作用する。注射スリーブ１２０は長手中心軸１５０の方向に移動可能であって、しかし回転不能に、ハウジング１０２内で案内されている。注射スリーブ１２０は近位ストッパー面（近位当接面）１４７を有している。ストッパー要素１１６には、遠位端部ストッパー１２３が形成されており、それはストッパー面１４７と協働し注射スリーブ１２０の遠位終端位置を確定する。投与器具１２１を介する注射スリーブ１２０の投与プランジャ１１１との連結に基いて、端部ストッパー１２３は、注射スリーブ１２０の終端位置を介して間接的に、投与プランジャ１１１の終端位置を確定する。図４０から図４２で調整されているゼロ単位の追加の液用の場合では、ストッパー面１４７は端部ストッパー１２３に対して間隔ｄを有している。この位置では、調整リング１１５の近位端部側１４２は、上部ハウジング部分１０３の近位端部側１４０に対して間隔ｆを有している。図４２にも示されているように、ハウジング部分１０３及び１０４は、スナップ式接続部（スナップジョイント）１４３を介して互いに接続されている。スナップ式接続部１４３は、内側へ突出する上部ハウジング部分１０３のスナップエッジを含んでおり、それは下部ハウジング部分１０４のスナップ凹部１０４内へ突き出ている。しかしながら、両方のハウジング部分１０３及び１０４の間の別種の接続も同様に有利であり得る。
【００４０】
連結部１２４が解放された後で、注射バネ１０９は注射スリーブ１２０を遠位方向へと移動させることが出来る。それによい、ネジ接続部１３２に基づき、投与器具１２１は回転する。投与器具１２１はしかしながら、軸方向では動くことは出来ない。ネジ接続部１３３は、ハウジング１０２内での投与プランジャ１１１の回転不能な支持に基づき、近位方向への投与プランジャ１１１の移動を引き起こし、それは容器１０５からの注射液の押し出しを導く。ストッパー面１４７が端部ストッパー１２３に当接すると、注射は終了される。この位置は、図４３から図４５に示されている。調整リング１１５は、注射液を押し出す際に、その位置を変化させなかった。端部側１４０及び１４２は更に、互いに間隔ｆを有している。近位方向への注射スリーブ１２０の移動に基いて、開口部１２５は投与器具１２１に対して移動するので、その結果、開口部１２５越しにこの時には、注射液の押し出された液量を読み取ることが出来る。調整リング１１５内の視認窓１１９越しに、ゼロ単位の押し出されるべき注射液の調整された追加の液量を読み取ることが出来る。
【００４１】
操作要素１０６は操作バネ１３７によって遠位方向へプリテンションを掛けられているので、利用者が注射の間に操作要素１０６を放すと、操作要素１０６はその遠位位置へと押される。それにより、連結部１２４が閉じられ、注射は中断される。近位方向へ操作要素１０６を新たに押し込むことによって、注射プロセスを継続することが出来る。
【００４２】
図４６から図４８は、注射液が追加の２０単位に調整された最大の液量での注射装置１を示している。注射液をこの液量に調整するために、調整リング１１５は、回転されまたネジ接続部１１７に基いて近位方向へ移動された。連結装置１２６に基づき、ストッパー要素１１６は近位方向へ共に運ばれた。ストッパー面１４７は、調整されたこの投与量では端部ストッパー１２３に対して、間隔ｅを有しており、この間隔ｅはより僅かな投与量の場合の間隔ｄ（図４２）よりも明らかに大きい。調整リング１１５の端部側１４２と上部ハウジング部分１０３の端部側１４０の間の間隔ｄは、より僅かな投与量（図４２）の場合の間隔ｆよりも明らかに小さい。
【００４３】
図４９から図５３は、上部ハウジング部分１０３を詳細に示している。上部ハウジング部分１０３は、互いに向かい合って配された２つの開口部１２９を有しており、当該開口部１２９を通って、連結装置１２６（図２８）は、上部ハウジング部分１０３の内側から調整リング１１５へ向かって突き出ることが出来る。図４９及び図５１が示しているように、開口部１２９は、その近位端部側で第１の近位ストッパー１４６を形成しており、また、その遠位端部側で第２の遠位ストッパー１４８を形成している、その際、第１の近位ストッパー１４６は注射液の押し出されるべき最大液量を確定し、また、第２の遠位ストッパー１４８は図５１に示されており注射液の押し出されるべき最小液量を確定する。中間壁部１６０は中央開口部１６１を有しており、当該中央開口部１６１を通って駆動部１２２が突き出ている。上部ハウジング部分１０３は雄ねじ部１５９を備えており、当該雄ねじ部１５９はネジ接続１１７の一部である。図４９が示すように、上部ハウジング部分１０３は、中間壁部１６０の遠位側にガイドウェブ１５７を有しており、当該ガイドウェブ１５７は、操作要素１０６を上部ハウジング部分１０３と回転不能に接続するために用いられる。そのため、ガイドウェブ１５７は操作要素１０６のガイドノッチ１５８（図３７）内へ突き出ている。中間壁部１６０の近位側には、互いに向かい合って配された２つのガイドウェブ１５１（図５１及び図４２）が設けられており、当該ガイドウェブ１５１は実施例においてはウェブ１５７の延長に配設されており、また、注射スリーブ１２０との回転不能な接続のために用いられる。図５１及び図５３は、支持部分１３４の構造を詳細に示している。支持部分１３４は、中間壁部１６２に形成されており、当該中間壁部１６２は、注射スリーブ１２０用の側方開口部１６３、並びに、投与プランジャ１１１のプランジャロッド１１２用の中央ガイド部１３９、を有している。ガイド部１３９は互いに向かい合う２つの平坦部１６４を有しており、当該平坦部１６４はプランジャロッド１１２を回転不能に支持するために用いられる。それにより、プランジャロッド１１２はハウジング１０２内で回転不能に支持されている。
【００４４】
図５４から図５８は注射スリーブ１２０を詳細に示している。注射スリーブ１２０はその外周面に２つのガイドノッチ１５２（図５４及び図５８）を有しており、当該ガイドノッチ１５２内に上部ハウジング部分１０３のガイドウェブ１５１が回転不能な接続のために突き出ている。注射スリーブ１２０は、近位方向へ突出する２つのアーム部１６５を有しており、当該アーム部１６５の端部側には、それぞれ１つのストッパー面１４７の一部分が形成されている。実施例においては、ストッパー面１４７からは複数の突起部１５５が突き出しており、当該突起部１５５はストッパー要素１１６の対応する凹部１５６内へ突き出ている。図５６が示しているように、注射スリーブ１２０はその内側に雌ねじ部１６６を有しており、当該雌ねじ部１６６はネジ接続１３２の一部である。
【００４５】
図５９から図６２には、ストッパー要素１１６が示されている。ストッパー要素１１６はその遠位側に２つの互いに向かい合う半径方向外側へ突出しているウェブ１２７を有しており、当該ウェブ１２７は上部ハウジング部分１０３の開口部１２９を通って突き出ており、またそれらは連結装置１２６の一部である。ウェブ１２７は、開口部１２９の長手側と共に同時にストッパー要素１１６用の回転ロック部を形成している。
【００４６】
図６３及び図６４には調整リング１１５が示されている。調整リング１１５は、図６３及び図６４では左側に配されているその遠位側に、雌ねじ部１６７を有しており、当該雌ねじ部１６７は上部ハウジング部分１０３の雄ねじ部１５９と共にネジ接続部１１７を形成している。雌ねじ部１６７の近位側には、ガイド部１２８が形成されており、当該ガイド部１２８は、周りを取り囲むノッチとして形成されており、また、その中へ調整リング１１５及びストッパー要素１１６の軸方向の位置を連結するためにストッパー要素１１６のウェブ１２７が突出している。その際有利には大部分で遊びのない連結が設けられており、その結果、注射液の押し出されるべき液量の正確な調整が可能である。
【００４７】
図６５から図６９は操作要素１０６を示している。操作要素１０６は操作部分１８３並びにスリーブ部分１８４を有しており、当該スリーブ部分１８４の外径は、上部ハウジング部分１０３の内径よりも極僅かに小さい。それにより、スリーブ部分１８４は上部ハウジング部分１０３内へと押し込まれ得る。スリーブ部分１８４はその外周面でガイドノッチ１５８を支持し、当該ガイドノッチ１５８内へ、上部ハウジング部分１０３のガイドウェブ１５７が操作要素１０６を回転不能に固定するために突き出ている。操作部分１８３からはウェブ１６８が近位方向へ延伸している。ウェブ１６８はその端部で半径方向外側へ突き出ているロックウェブ１５４を支持しており、当該ロックウェブ１５４は連結部１２４の一部を形成している。
【００４８】
図７０から図７３は駆動部１２２を詳細に示している。駆動部１２２は遠位部分１８５を有しており、当該遠位部分１８５は支持部分１７３を介して近位部分１８６と分けられている。支持部分１７３を用いて、駆動部１２２は上部ハウジング部分１０３の中間壁部内で支持されている。組み立てのためには、駆動部１２２は有利には複数の部分から形成されている。遠位部分１８５は連結部分１７１を有しており、当該連結部分１７１は図７２が示しているように、複数のノッチ１７２を有している。閉じられた連結部１２４においては、操作要素１０６のロックウェブ１５４はノッチ１７２内へと突き出ており、またそれによって操作要素１０６及び駆動部１２２の間の回転不能な接続がもたらされる。連結部分１７１の近位側には自由空間１５３が延伸している。その遠位端部では駆動部１２２は互いに向かい合って配設された２つの接続突起１６９を支持しており、当該接続突起１６９は投与器具１２１との回転不能な接続のために利用される。
【００４９】
図７４から図７６には投与器具１２１が示されている。投与器具１２１は、スリーブ形状に形成されており、またその外周面にて雄ねじ部１７４を支持している。当該雄ねじ部１７４は注射スリーブ１２０の雌ねじ部１６６と共にネジ接続部１３２を形成している。更にその外周では、投与器具１２１はメモリ１７５を有しており、それは開口部１２５越しに視認可能でありまたそれは注射液の押し出される液量を示している。投与器具１２１の近位側には、支持凸部１７７が配設されており、当該支持凸部１７７を用いて投与器具１２１が支持部分１３４内で回転可能に支持されている。支持凸部１７７の近傍に、投与器具１２１は複数の突起部１７６を有しており、当該突起部１７６では投与器具１２１が支持部分１３４に当接しており、また、それらは摩擦を低減するために用いられる。図７５が示しているように、投与器具１２１はその遠位端部に内側に形成された接続ノッチ１７０を有しており、当該接続ノッチ１７０は駆動部１２２の接続突起１６９に適合されており、また、当該接続ノッチ１７０を用いて駆動部１２２及び投与器具１７７の回転不能な接続が形成される。投与器具１２１の近位端部には、支持凸部１７７の内側に雌ねじ部１７８が設けられており、当該雌ねじ部１７８はネジ接続部１３３の一部である。
【００５０】
図７７から図８０はプランジャロッド１１２を示している。プランジャロッド１１２は雄ねじ部１７９を有しており、当該雄ねじ部１７９は雌ねじ部１７９と共にネジ接続部１３３を形成する。図７７から図７９において下方に示されているその遠位側では、プランジャロッド１１２は端部ディスク１８２を有しており、当該端部ディスク１８２は、プランジャロッド１１２が投与器具１２１の雌ねじ部１７８によって螺旋状に移動し得ることを防ぐ。その近位側で、プランジャロッド１１２はプランジャディスク１１３との接続のための突起部１８０を有している。雄ねじ部１７９は長手方向に延伸する平坦部１８１を有しており、当該平坦部１８１は図７８から図８０にも示されている。平坦部１８１はハウジング１０２との回転不能な接続のために利用され、また、上部ハウジング部分１０３の平坦部１６４（図５３）に当接している。
【符号の説明】
【００５１】
１、１０１    注射装置
２、１０２    ハウジング
５、１０５    容器
９、１０９    注射バネ
１１、１１１  投与プランジャ
１４、１１４  調整装置
１５、１１５  調整リング
１６、１１６  ストッパー要素
１７、１１７  ネジ接続部
２２          縁部
２３、１２３  端部ストッパー
２６、１２６  連結装置
２８、１２８  ガイド部
２９、１２９  開口部
４１、１４１  近位方向
５０、１５０  長手中心軸
１２０        注射スリーブ
１２１        投与器具
１３３        第２のネジ接続部
１４７        ストッパー面
【図１】
2018531711.tif 000003
【図２】
2018531711.tif 000004
【図３】
2018531711.tif 000005
【図４】
2018531711.tif 000006
【図５】
2018531711.tif 000007
【図６】
2018531711.tif 000008
【図７】
2018531711.tif 000009
【図８】
2018531711.tif 000010
【図９】
2018531711.tif 000011
【図１０】
2018531711.tif 000012
【図１１】
2018531711.tif 000013
【図１２】
2018531711.tif 000014
【図１３】
2018531711.tif 000015
【図１４】
2018531711.tif 000016
【図１５】
2018531711.tif 000017
【図１６】
2018531711.tif 000018
【図１７】
2018531711.tif 000019
【図１８】
2018531711.tif 000020
【図１９】
2018531711.tif 000021
【図２０】
2018531711.tif 000022
【図２１】
2018531711.tif 000023
【図２２】
2018531711.tif 000024
【図２３】
2018531711.tif 000025
【図２４】
2018531711.tif 000026
【図２５】
2018531711.tif 000027
【図２６】
2018531711.tif 000028
【図２７】
2018531711.tif 000029
【図２８】
2018531711.tif 000030
【図２９】
2018531711.tif 000031
【図３０】
2018531711.tif 000032
【図３１】
2018531711.tif 000033
【図３２】
2018531711.tif 000034
【図３３】
2018531711.tif 000035
【図３４】
2018531711.tif 000036
【図３５】
2018531711.tif 000037
【図３６】
2018531711.tif 000038
【図３７】
2018531711.tif 000039
【図３８】
2018531711.tif 000040
【図３９】
2018531711.tif 000041
【図４０】
2018531711.tif 000042
【図４１】
2018531711.tif 000043
【図４２】
2018531711.tif 000044
【図４３】
2018531711.tif 000045
【図４４】
2018531711.tif 000046
【図４５】
2018531711.tif 000047
【図４６】
2018531711.tif 000048
【図４７】
2018531711.tif 000049
【図４８】
2018531711.tif 000050
【図４９】
2018531711.tif 000051
【図５０】
2018531711.tif 000052
【図５１】
2018531711.tif 000053
【図５２】
2018531711.tif 000054
【図５３】
2018531711.tif 000055
【図５４】
2018531711.tif 000056
【図５５】
2018531711.tif 000057
【図５６】
2018531711.tif 000058
【図５７】
2018531711.tif 000059
【図５８】
2018531711.tif 000060
【図５９】
2018531711.tif 000061
【図６０】
2018531711.tif 000062
【図６１】
2018531711.tif 000063
【図６２】
2018531711.tif 000064
【図６３】
2018531711.tif 000065
【図６４】
2018531711.tif 000066
【図６５】
2018531711.tif 000067
【図６６】
2018531711.tif 000068
【図６７】
2018531711.tif 000069
【図６８】
2018531711.tif 000070
【図６９】
2018531711.tif 000071
【図７０】
2018531711.tif 000072
【図７１】
2018531711.tif 000073
【図７２】
2018531711.tif 000074
【図７３】
2018531711.tif 000075
【図７４】
2018531711.tif 000076
【図７５】
2018531711.tif 000077
【図７６】
2018531711.tif 000078
【図７７】
2018531711.tif 000079
【図７８】
2018531711.tif 000080
【図７９】
2018531711.tif 000081
【図８０】
2018531711.tif 000082
【国際調査報告】
2018531711.tif 000083
2018531711.tif 000084
2018531711.tif 000085
2018531711.tif 000086
2018531711.tif 000087
2018531711.tif 000088